(57)【要約】【課題】半導体パッケージの実装性を向上させる。【解決手段】半導体チップを搭載するアイランドと対向するリードとの間の絶縁性樹脂に凹部を設けることで、回路基板に印刷した半田と絶縁性樹脂との接触を防止し、半田溶融時のセルフアライメント性が向上し、実効接合面積が増加する。【選択図】図１０
2014154689.tif 000002
【特許請求の範囲】
【請求項１】
アイランドに搭載された半導体チップと、
前記アイランドと離間して配置され、前記半導体チップとワイヤーを介して接続したリードと、
前記アイランドと前記半導体チップと前記ワイヤーと前記リードを封止した絶縁性樹脂と、
からなる、前記リードの底面を前記絶縁性樹脂から露出したリードフラットタイプの半導体装置であって、
前記絶縁性樹脂の前記リードに隣接する部分に形成された第一の凹部により、前記リードの側面であって、前記絶縁性樹脂の底面の下に位置する内側面を露出したことを特徴とする半導体装置。
【請求項２】
前記第一の凹部は、前記リードが前記アイランドと対向する領域に設けられていることを特徴とする請求項１記載の半導体装置。
【請求項３】
前記第一の凹部は、隣接するリード間にも設けられていることを特徴とする請求項２記載の半導体装置。
【請求項４】
前記第一の凹部は、前記アイランドの周囲に隣接する絶縁性樹脂にも設けられていることを特徴とする請求項１乃至３のいずれか１項記載の半導体装置。
【請求項５】
前記リードに隣接する部分に形成された第一の凹部と前記アイランドの周囲に隣接する絶縁性樹脂に設けられた第一の凹部とは連続した凹部により形成されていることを特徴とする請求項４記載の半導体装置。
【請求項６】
前記リードに隣接する部分に形成された第一の凹部と前記アイランドの周囲に隣接する絶縁性樹脂に設けられた第一の凹部とは分離された凹部により形成されていることを特徴とする請求項４記載の半導体装置。
【請求項７】
前記絶縁性樹脂から露出する前記アイランド裏面に第二の凹部を設けたことを特徴とする請求項１乃至６のいずれか１項記載の半導体装置。
【請求項８】
前記第一の凹部又は前記第二の凹部の深さは、０．０１から０．０５ｍｍであることを特徴とする請求項１乃至７のいずれか１項記載の半導体装置。
【請求項９】
アイランドに搭載された半導体チップと、
前記アイランドと離間して配置され、前記半導体チップとワイヤーを介して接続したリードと、
前記アイランドと前記半導体チップと前記ワイヤーと前記リードを封止した絶縁性樹脂と、
からなる、前記リードの底面を前記絶縁性樹脂から露出したリードフラットタイプの半導体装置であって、
前記リードは折り曲げられて重畳された下段リードを有し、前記下段リードの側面は絶縁性樹脂から露出していることを特徴とする半導体装置。
【請求項１０】
前記下段リードが複数段重重されていることを特徴とする請求項９記載の半導体装置。
【請求項１１】
アイランドに搭載された半導体チップと、
前記アイランドと離間して配置され、前記半導体チップとワイヤーを介して接続したリードと、
前記アイランドと前記半導体チップと前記ワイヤーと前記リードを封止した絶縁性樹脂と、
からなる、前記リードの底面を前記絶縁性樹脂から露出したリードフラットタイプの半導体装置であって、
前記リードは前記アイランドよりも実装する回路基板側に凸状になっていることを特徴とする半導体装置。
【請求項１２】
前記凸部の段差は、０．０１から０．０５ｍｍであることを特徴とする請求項１１記載の半導体装置。
【発明の詳細な説明】
【技術分野】
【０００１】
本発明は、樹脂封止された半導体装置に関する。より詳細には、モールド樹脂から回路基板へ接続するためのリード及び半導体チップを搭載するアイランドを露出させた構造の半導体装置に関する。
【背景技術】
【０００２】
携帯機器をはじめとして、各種の電子機器は薄型化・小型化・軽量化が進んでいる。それらの電子機器に実装される半導体パッケージにおいても薄型・小型が要求されている。半導体パッケージを薄く、小さくするには、従来のガルウィングタイプの半導体パッケージでは対応出来ないため、リードがフラットで半導体パッケージの底面とリード底面が同一面にある、いわゆるフラットパッケージが有効である。
【０００３】
フラットパッケージの基本的な構造は、パッケージの裏面（回路基板に実装する面）から回路基板と接続するためのリードを露出させている。また、アイランドはパッケージの裏面から露出させているものと、露出していないものがある。リード底面とパッケージ底面がフラットであるため回路基板へ半田付け実装する際には、半田がリード底面とパッケージ底面のモールド樹脂に接触する。
【０００４】
図１８は従来の半導体パッケージを示している。リード１の底面とモールド樹脂６底面及びアイランド３底面が同一面上に存在している。
フラットパッケージの基本的な構造が特許文献１、２に記されている。
【先行技術文献】
【特許文献】
【０００５】
【特許文献１】特開２０００−２９９４００号公報
【特許文献２】特開２００９−０６００９３号公報
【発明の概要】
【発明が解決しようとする課題】
【０００６】
しかしながら、従来の構造では回路基板に実装する際に回路基板上に印刷された半田とモールド樹脂底面が接触してしまい、半田が溶融する際に半導体パッケージの位置のズレを自動的に補正してくれるというセルフアライメント性を低減させてしまうという問題がある。回路基板と半導体パッケージの接合アライメントがずれると、半導体パッケージのリードと回路基板上の半田との実効接合面積が減り、実装強度が低下する。
【０００７】
本発明は、このような従来の構造が有していた問題を解決しようとするものであり、回路基板へのセルフアライメント性を向上させ、更には半田接合力を向上させることを目的とする。
【課題を解決するための手段】
【０００８】
前記課題である、セルフアライメント性を向上させるために、半導体パッケージ裏面に露出したリードを半導体パッケージのモールド樹脂底面よりも一段下げて、半田とモールド樹脂が接触するのを避けるようにする。
また、リードとモールド樹脂底面に段差を付けられない場合は、半導体パッケージ底面から露出したリード周囲のモールド樹脂に凹部を形成する。
【０００９】
更にアイランドを半導体パッケージ裏面から露出させたタイプのパッケージでは、アイランド露出部周囲のモールド樹脂にも凹部を形成することでセルフアライメント性を更に向上させる。
半導体パッケージ裏面放熱板に凹部を形成し、半田との接合面積を広げることで、半導体パッケージと回路基板の半田実装強度を向上させる。
【発明の効果】
【００１０】
本発明を実施することで、半導体パッケージを回路基板に実装する際にセルフアライメントが効きやすくなり、半導体パッケージの搭載位置ズレによる実装不良を低減出来る。特に、半導体パッケージのアイランドを露出したタイプのものでは、放熱板周辺のモールド樹脂に凹部を形成することで、セルフアライメント性は更に向上する。また、放熱板にも凹部を形成することで半田との接合面積を増やせ、実装強度を向上させることが出来る。
【図面の簡単な説明】
【００１１】
【図１】本発明の第一の実施例に係る半導体装置の断面図
【図２】本発明の第一の実施例に係る半導体装置の裏面図
【図３】本発明の第二の実施例に係る半導体装置の断面図
【図４】本発明の第二の実施例に係る半導体装置の裏面図
【図５】本発明の第三の実施例に係る半導体装置の断面図
【図６】本発明の第三の実施例に係る半導体装置の裏面図
【図７】本発明の第四の実施例に係る半導体装置の裏面図
【図８】本発明の第五の実施例に係る半導体装置の断面図
【図９】本発明の第五の実施例に係る半導体装置の裏面図
【図１０】本発明の第六の実施例に係る半導体装置の断面図
【図１１】本発明の第七の実施例に係る半導体装置の断面図
【図１２】本発明の第七の実施例に係る半導体装置の裏面図
【図１３】本発明の第八の実施例に係る半導体装置の断面図
【図１４】本発明の第九の実施例に係る半導体装置の断面図
【図１５】本発明の第十の実施例に係る半導体装置の裏面図
【図１６】本発明の第十一の実施例に係る半導体装置の裏面図
【図１７】本発明の第十二の実施例に係る半導体装置の裏面図
【図１８】従来の半導体装置の断面図
【発明を実施するための形態】
【００１２】
以下では図面を参照して本発明の実施例を詳細に説明する。
【実施例１】
【００１３】
図１は本発明の第一の実施例に係る半導体装置断面図である。アイランド３上には接着剤などを用いて半導体チップ４が搭載され、半導体チップ４表面の電極と複数のリード１はワイヤー５で接続され、半導体チップ４とワイヤー５とアイランド３とリード１は絶縁性樹脂であるモールド樹脂６で封止されている。リード１とアイランド３は離間してモールド樹脂６によって絶縁されている。ここで、アイランド３の底面、リード１の底面とモールド樹脂６の側面より外側に位置するリード１の側面である外側面１１とモールド樹脂６の底面の下に位置するリード１の側面である内側面１２の下側一部はモールド樹脂６から露出している。リード１の底面とアイランド３の底面は同一面ではなく、リード１の底面がアイランド３の底面２よりも回路基板との実装面側へ一段低くなるように段差（スタンドオフ）が形成されている。このため、リード１の内側面の一部がモールド樹脂から露出することになる。
【００１４】
このように段差を形成することで、回路基板へ印刷した半田と半導体パッケージを接合したときにリード１は回路基板と接合するが、アイランド３とアイランド周囲のモールド樹脂は回路基板と離間することになり、半田が半導体装置のリード１以外の領域に回り込むことが無く、セルフアライン性が向上し、実効接合面積が増し、実装強度を向上させることができる。この段差量は０．０１〜０．０５mm程度で効果がある。
【００１５】
図２は図１に示した半導体装置をリード底面側から見た図である。アイランド３とアイランド周囲のモールド樹脂６は同一面であるが、これに対しリード１が紙面手前方向に飛び出す凸構造となっている。言い換えれば、アイランド３およびモールド樹脂６の底面が紙面奥方向に凹構造となっている。
【実施例２】
【００１６】
図３は本発明の第二の実施例に係る半導体装置の断面図であってリードフラットタイプの実施例である。図１同様にアイランド３を露出したタイプの半導体パッケージである。図３に示したようにリード１と隣接する部分のモールド樹脂６に凹部７を形成し、モールド樹脂６の底面の下に位置するリード１の側面である内側面の下側一部が露出するようになっている。アイランド３およびアイランド近傍のモールド樹脂６の底面はリード１の底面と同一面とした。このようにすることで、セルフアライン性を確保しつつ、アイランド３から回路基板への放熱性も確保できることになる。この凹部の段差量は０．０１〜０．０５mm程度で効果がある。
【００１７】
図３の半導体パッケージを底面側から見たのが図４である。
図４に示すとおり、リード１の周辺に沿って「コの字形」にモールド樹脂部６に凹部７を形成することで、回路基板へ印刷した半田の平面的なズレ（X方向、Y方向）に対してセルフアライメント効果を出すことができる。
【実施例３】
【００１８】
図５は本発明の第三の実施例に係る半導体装置の断面図であって、図３に示した凹部７をアイランド３まで広げたものである。図６は図５に示した半導体パッケージを裏面から見た図である。モールド樹脂６の凹部７がリード１の内側面の周囲だけで無く、アイランド３の周囲にまで連続して広げてあり、アイランド３の側面の一部もモールド樹脂から露出している。図６では図の上下にある、半導体パッケージの上下の縁に沿ってモールド樹脂６の底面が紙面手前方向に飛び出した部分があり、飛び出し部分はアイランド３やリード１の底面と同じ底面を形成している。
【実施例４】
【００１９】
図７は本発明の第四の実施例に係る半導体装置の裏面図であって、凹部をリード１の内側面の周囲とアイランド２の周囲に別々に設けたものである。図７に示した半導体パッケージの方が小型化に有利である。半導体パッケージを小型化すると、リード１とアイランド３の距離は小さくなるため、リードとアイランド間にモールド樹脂を凸状に残すことで、回路基板実装時の半田ショートを防ぐことが出来るためである。
【実施例５】
【００２０】
図８は本発明の第五の実施例に係る半導体装置の断面図であって、図３に示した半導体装置のアイランド３の裏面（底面）内部に凹部２を設けたものである。このように凹部２を形成することで、アイランド３の裏面の表面積が増えるため、半田との実効接触面積が増え、半田接合強度が向上する。この凹部の段差量は０．０１〜０．０５mm程度で効果がある。
図９は図８に示した半導体パッケージを裏面から見た図である。
【実施例６】
【００２１】
図１０は本発明の第六の実施例に係る半導体装置の断面図であって、図８のモールド樹脂への凹部７をアイランド３まで広げたタイプである。
【実施例７】
【００２２】
図１１は本発明の第七の実施例に係る半導体装置の断面図であって、アイランド３が半導体パッケージ裏面から露出していないタイプのもので、リード１に隣接した部分のモールド樹脂６に凹部７を形成した構成である。
図１２は図１１に示した半導体装置の裏面図である。
【実施例８】
【００２３】
図１３は本発明の第八の実施例に係る半導体装置の断面図であって、予め伸ばしておいたアウターリードの中間部を折り曲げて上段リードと下段リード８とを重ね合わせて二段リードにしたものである。したがって、二段リードは外端部において上下が接合する構造となっている。このような構造を形成することで、下段リード８の底面とアイランド３の底面にリードの厚みに相当する段差（スタンドオフ）が出来、セルフアライン性が向上し、実効接合面積が増し、実装強度を向上させることができる。下段リードの側面はすべて露出している。この場合の段差量はリードの厚みで決まるが０．０１〜０．１mm程度である。また、ここでは二段リードの例を図示したが、三段以上重ねたリード構造であっても良い。
【実施例９】
【００２４】
図１４は本発明の第九の実施例に係る半導体装置の断面図であって、図１３に示した半導体パッケージと類似のもので、アイランド３をモールド樹脂６から露出させないタイプである。
【実施例１０】
【００２５】
図１５は本発明の第十の実施例に係る半導体装置の裏面図であって、図４を変形させたもので、リード周辺の凹部７をリード間には形成せず、アイランドに向けた方向のみに形成したものである。これはリードが狭ピッチである場合に対応する構造である。
【実施例１１】
【００２６】
図１６は本発明の第十一の実施例に係る半導体装置の裏面図であって、図１５に図示した実施例に対してアイランドの外周に隣接して凹部７を形成したものである。
【実施例１２】
【００２７】
図１７は本発明の第十二の実施例に係る半導体装置の裏面図であって、図１２に図示した実施例をベースに、凹部をリード間には形成せず、モールド樹脂によって覆われたアイランドに向けた方向のみに凹部７を形成した構成である。
【符号の説明】
【００２８】
１  リード
２  アイランド裏面凹部
３  アイランド
４  半導体チップ
５  ワイヤー
６  モールド樹脂
７  モールド樹脂凹部
８  下段リード
１１  リードの外側面
１２  リードの内側面
【図１】
2014154689.tif 000003
【図２】
2014154689.tif 000004
【図３】
2014154689.tif 000005
【図４】
2014154689.tif 000006
【図５】
2014154689.tif 000007
【図６】
2014154689.tif 000008
【図７】
2014154689.tif 000009
【図８】
2014154689.tif 000010
【図９】
2014154689.tif 000011
【図１０】
2014154689.tif 000012
【図１１】
2014154689.tif 000013
【図１２】
2014154689.tif 000014
【図１３】
2014154689.tif 000015
【図１４】
2014154689.tif 000016
【図１５】
2014154689.tif 000017
【図１６】
2014154689.tif 000018
【図１７】
2014154689.tif 000019
【図１８】
2014154689.tif 000020